(57)【要約】      （修正有）【課題】完全な外筐体にして携帯電話を保護したり、短辺を長辺の最上面から離し、フレーム体短辺底面をフレーム体長辺の裏面上に設置して携帯電話を傾斜させて使用するモバイルバッテリー分離式スタンド構造を提供する。【解決手段】モバイルバッテリーは、フレーム体長辺１０、フレーム体短辺２０、充電電池３０及び回路モジュール４０から構成される。該フレーム体長辺１０と該フレーム体短辺２０の両者は、マグネット１２、２２で吸着して完全な外筐体を形成する。該充電電池３０は該フレーム体長辺１０の裏面の筐体内部に納置し、該外筐体に携帯電話を納置して保護する。該フレーム体短辺２０を外す時、該フレーム体短辺２０を該フレーム体長辺１０の最上面から離して、次に該フレーム体短辺２０底面を該フレーム体長辺１０の裏面上に設置する。【選択図】図２
0003213773.tif 000002
【実用新案登録請求の範囲】
【請求項１】
主にフレーム体長辺、フレーム体短辺、充電電池及び回路モジュールから構成されたモバイルバッテリー分離式スタンド構造において、そのうち、
最上面は開口し、最上面上両側にはそれぞれ小掛合桿をそれぞれ設置し、最上面内部は一組のマグネット片を納置し、底面は充電孔及び充電差込桿を備える該フレーム体長辺と、
底面は開口し、底面上両側にそれぞれ小掛合槽を設置し、底面内部には一組のマグネット部品を納置する該フレーム体短辺と、
該フレーム体長辺の裏面筐体内部に納置し、且つ該充電孔及び該充電差込桿との間がどちらも電気連接を達成し、該フレーム体長辺の裏面筐体内部は該充電電池外側に大マグネット片を納置する該充電電池及び該回路モジュールから構成され、
該フレーム体短辺の底面と該フレーム体長辺の最上面が近づくと、該フレーム体短辺のマグネット部品と該フレーム体長辺のマグネット片の間がマグネット作用によってすぐに引き寄せ合い、且つ該フレーム体長辺最上面の小掛合桿は、該フレーム体短辺底面の小掛合槽内に対応して挿入し定位して完全な外筐体を形成し、該フレーム体短辺を持って取外し、該フレーム体短辺を該フレーム体長辺の最上面から離し、即ち該フレーム体短辺底面を該フレーム体長辺の裏面上に設置することを特徴とするモバイルバッテリー分離式スタンド構造。
【請求項２】
前記フレーム体長辺のマグネット片及び大マグネット片は、金属片体であることを特徴とする請求項１記載のモバイルバッテリー分離式スタンド構造。
【請求項３】
前記フレーム体短辺のマグネット部品は、磁石であることを特徴とする請求項１記載のモバイルバッテリー分離式スタンド構造。
【請求項４】
前記フレーム体長辺の高度は外筐体全体の約六分の五を占め、該フレーム体短辺の高度は外筐体全体の約六分の一を占めることを特徴とする請求項１記載のモバイルバッテリー分離式スタンド構造。
【請求項５】
前記フレーム体短辺の底面は多数個のプチパッドを設置することを特徴とする請求項１記載のモバイルバッテリー分離式スタンド構造。
【考案の詳細な説明】
【技術分野】
【０００１】
本考案は、モバイルバッテリー分離式スタンド構造に関するもので、特にフレーム体短辺とフレーム体長辺の両者をマグネットで吸着して完全な外筐体にして携帯電話をその中に納置して保護し、更に該フレーム体短辺を該フレーム体長辺の最上面から離して、次に該フレーム体短辺底面を該フレーム体長辺の裏面上に設置し、携帯電話を傾斜させて使用するモバイルバッテリー分離式スタンド構造に係る。
【背景技術】
【０００２】
公知のモバイルバッテリーは、外筐体を備え、そこに携帯電話を納置し、該外筐体で保護する。該外筐体の裏面の筐体内部には充電電池(例としてリチウム電池)を設置し、底部には充電孔及び充電差込桿を設置する。該充電孔及び該充電差込桿はどちらも該充電電池と電気連接する。携帯電話を該外筐体内に納置すると、該携帯電話本体設置の充電孔は該外筐体の充電差込桿を嵌合するので、該携帯電話は該充電電池の電力を使用することができる。そして充電線一端を該外筐体の充電孔に差し込み、別一端は家電源もしくは別電源に差し込むと、電力が該充電電池(例としてリチウム電池)内に充電される。
【０００３】
該公知のモバイルバッテリーは、携帯電話を保護し、また携帯電話に対して電力を供給し、更にモバイルバッテリー本体も充電を受ける事ができるので非常に便利であり、人々に受け入れられている。
【考案の概要】
【考案が解決しようとする課題】
【０００４】
解決しようとする問題点は、該公知のモバイルバッテリーは実用性を備え、欠点もないようであるが、この科学技術発展の時代、該公知のモバイルバッテリーが更に便利で使いやすくなり、実用性を高めることが求められている。
【課題を解決するための手段】
【０００５】
本考案は、フレーム体長辺、フレーム体短辺、充電電池及び回路モジュールから構成される。該フレーム体長辺と該フレーム体短辺両者は、マグネットで吸着して完全な外筐体を形成する。該充電電池は該フレーム体長辺の裏面の筐体内部に納置し、該外筐体に携帯電話を納置して保護する。該フレーム体短辺を外す時、該フレーム体短辺を該フレーム体長辺の最上面から離して、次に該フレーム体短辺底面を該フレーム体長辺の裏面上に設置することを最も主要な特徴とする。  
【考案の効果】
【０００６】
本考案のモバイルバッテリー分離式スタンド構造は、完全な外筐体にして携帯電話を保護したり、短辺を長辺の最上面から離し、フレーム体短辺底面をフレーム体長辺の裏面上に設置して携帯電話を傾斜させて使用するという利点がある。
【図面の簡単な説明】
【０００７】
【図１】本考案の実施例の外観立体図である。
【図２】本考案の実施例の立体分解図である。
【図３】本考案の実施例の正面図である。
【図４】本考案の実施例で携帯電話を納置した外観立体図である。
【図５】本考案の実施例でスタンドに変化させて使用した立体図である。
【図６】本考案の実施例スタンドに変化させて使用した側面図である。
【図７】本考案の実施例スタンドに変化させて使用し、且つ該フレーム体短辺が上に移動した側面図である。
【考案を実施するための形態】
【０００８】
上述理念に基づき、本考案者は、付加的用途を研究し、実用性が向上したモバイルバッテリーから本考案が提案された。
【０００９】
フレーム体短辺とフレーム体長辺の両者をマグネットで吸着して完全な外筐体にする。そして携帯電話をその中に納置して保護するモバイルバッテリー分離式スタンド構造を提供することを本考案の主な目的とする。
【００１０】
該フレーム体短辺を該フレーム体長辺の最上面から離して、次に該フレーム体短辺底面を該フレーム体長辺の裏面上に設置し、携帯電話を傾斜させて使用するモバイルバッテリー分離式スタンド構造を提供することを本考案の主な目的とする。
【００１１】
上述の目的を達成するため、本考案は、モバイルバッテリー分離式スタンド構造を提供し、フレーム体長辺、フレーム体短辺、充電電池及び回路モジュールから構成される。そのうち、該フレーム体長辺の最上面は開口し、最上面上両側は、それぞれ小掛合桿を設置し、最上面内部は一組のマグネット片を納置し、該フレーム体長辺の底面は充電孔及び充電差込桿を備える。該フレーム体短辺の底面は開口し、底面上両側にそれぞれ小掛合槽を設置し、底面内部には一組のマグネット部品を納置し、該底面には多数個のプチパッドを設置する。該充電電池及び該回路モジュールは該フレーム体長辺の裏面筐体内部にすべて納置し、且つ該充電電池及び該回路モジュールは該充電孔及び該充電差込桿との間がどちらも電気連接を達成し、該フレーム体長辺の裏面筐体内部、該充電電池外側に大マグネット片を納置する。該フレーム体短辺の底面と該フレーム体長辺の最上面が近づくと、該フレーム体短辺のマグネット部品と該フレーム体長辺のマグネット片の間がマグネット作用によってすぐに引き寄せ合い、且つ該フレーム体長辺最上面の小掛合桿は、該フレーム体短辺底面の小掛合槽内に対応して挿入し定位して完全な外筐体を形成する。該フレーム体短辺を持って取外し、該フレーム体短辺を該フレーム体長辺の最上面から離し、即ち該フレーム体短辺底面を該フレーム体長辺の裏面上に設置する。
【００１２】
上述モバイルバッテリー分離式スタンド構造において、該フレーム体長辺のマグネット片及び大マグネット片は、金属片体である。
【００１３】
上述モバイルバッテリー分離式スタンド構造において、該フレーム体短辺のマグネット部品は、磁石である。
【００１４】
上述モバイルバッテリー分離式スタンド構造において、該フレーム体長辺の高度は外筐体全体の約六分の五を占め、該フレーム体短辺の高度は外筐体全体の約六分の一を占める。
【００１５】
上述モバイルバッテリー分離式スタンド構造において、該フレーム体短辺の底面は多数個のプチパッドを設置する。
【実施例１】
【００１６】
本考案は、上述目的を達成するため、採用した技術手段及び達成する効果について、以下に実施可能な実施例を挙げ、図式と共に説明する。
【００１７】
図１〜３に示すとおり、本考案実施例はモバイルバッテリー１であり、構造上、フレーム体長辺１０、フレーム体短辺２０、充電電池３０及び回路モジュール４０から構成される。該フレーム体長辺１０と該フレーム体短辺２０両者は、マグネットで吸着して完全な外筐体を形成する。そのうち、該フレーム体長辺１０の高度は外筐体全体の約六分の五を占め、該フレーム体長辺１０の最上面は開口し、最上面上両側には小掛合桿１１をそれぞれ設置する。最上面内部は一組のマグネット片１２ (例として金属片体)を納置し、両側面上にはそれぞれ押ボタン１３を有し、底面には充電孔１４及び充電差込桿１５を備える。但し、該押ボタン１３及び該充電孔１４と該充電差込桿１５の三者は公知の例と同じであるため、ここでは説明しない。
【００１８】
該フレーム体短辺２０の高度は外筐体全体の約六分の一を占め、該フレーム体短辺２０の底面は開口し、底面の両側にはそれぞれ小掛合槽２１を成形し、底面内部は一組のマグネット部品２２ (例として磁石)を納置し、該底面には多数個のプチパッド２３を設置する。該フレーム体短辺２０の底面と該フレーム体長辺１０の最上面を近づけると、該マグネット部品２２(例として磁石)と該マグネット片１２(例として金属片体)間はマグネット作用によってすぐに引き寄せ合い、且つ該フレーム体長辺１０最上面の小掛合桿１１は該フレーム体短辺２０底面の小掛合槽２１内に対応して挿入し定位し、完全な外筐体を形成する。過程において、該プチパッド２３は該フレーム体短辺２０と該フレーム体長辺１０両者間のマグネット接合の衝撃力を緩和する。
【００１９】
該充電電池３０(例としてリチウム電池)及び該回路モジュール４０は、該フレーム体長辺１０の裏面筐体内部に納置し、且つ該充電電池３０及び該回路モジュール４０は該充電孔１４及び該充電差込桿１５との間で電気連接する。但し、これは公知の例と同じであるため、ここでは説明を省く。該フレーム体長辺１０の裏面筐体内部と異なるのは、該充電電池３０外側に大マグネット片３１(例として金属片体)を納置する。
【００２０】
上述構造の構造に基づき、該フレーム体短辺２０の底面と該フレーム体長辺１０の最上面を相互にマグネット組で完全な外筐体にすると、モバイルバッテリー１が完成する。図１、３に示すとおりである。この種の使用状態として、図４に示すとおり、携帯電話５０を該外筐体内に納置し、使該携帯電話５０の周り及び背面はどちらも該フレーム体短辺２０と該フレーム体長辺１０から構成された外筐体の保護を受け、且つ該携帯電話５０の本体に設置した充電孔は、該フレーム体長辺１０の充電差込桿１５を挿入し、該携帯電話５０は該充電電池３０の電力を使用する。その後、別に予備の充電線一端を該フレーム体長辺１０の充電孔１４に挿入し、別一端は家電源もしくは別電源に挿入すると、電力を該充電電池３０内に入力できる。但し、図４に示す使用状態は、公知の例と同じであるため、ここでは説明を省く。
【００２１】
本考案の効果として、図４に示す状態の時、隨時該フレーム体短辺２０をフレーム体長辺１０の最上面から分離する。それは該フレーム体短辺２０を持ち取り外す動作であり、即ち該フレーム体短辺２０を該フレーム体長辺１０の最上面から外し、次に該フレーム体短辺２０底面のマグネット部品２２を該フレーム体長辺１０の裏面に対応させる。即ち、該フレーム体短辺２０のマグネット部品２２(例として磁石)と該フレーム体長辺１０裏面内の大マグネット片３１(例として金属片体)間はマグネット作用によってすぐに引き寄せ合い、最終的に該フレーム体短辺２０の底面は該フレーム体長辺１０背面上に吸着し、図５、６に示すとおりの使用状態を形成する。
【００２２】
図５、６に示す使用状態の時、該携帯電話５０は、該フレーム体長辺１０内に納置して保護される。但し、携帯電話５０は横向き設置であるため、該フレーム体短辺２０の支持によって、携帯電話５０は傾斜に設置され、使用者は持たずに観賞できる。
【００２３】
該フレーム体短辺２０は、該フレーム体長辺１０背面の位置に吸着するので、該大マグネット片３１の範囲内であればどこでもよく、そのため、仮に該フレーム体短辺２０を上に移動させて図７に示すとおり使用する時、明らかにわかるのは、該フレーム体短辺２０位置が比較して低くなり、該携帯電話５０傾斜角度が大きくなり、遠距離観賞しやすくなる。また、該フレーム体短辺２０位置が上に移動した(高くなる)時、該携帯電話５０の傾斜角度は小さくなり、近距離観賞に適する。
【００２４】
以上の説明から分かるとおり、本考案は、主にモバイルバッテリーをフレーム体長辺、フレーム体短辺、充電電池及び回路モジュールから構成する。該フレーム体長辺と該フレーム体短辺の両者は、マグネットで吸着して完全な外筐体を形成する。該充電電池は該フレーム体長辺の裏面の筐体内部に納置し、該外筐体に携帯電話を納置して保護する。該フレーム体短辺を取り外し、該フレーム体短辺を該フレーム体長辺の最上面から離す。即ち、該フレーム体短辺底面を該フレーム体長辺の裏面上に当て、携帯電話を傾斜させて使用する。
【００２５】
上述のとおり、本考案が提示するモバイルバッテリー分離式スタンド構造は、公知の同類製品に見られず、絶対的な新規性を備える。同時に本考案は、使用上確実に予定の創作目的を達成できる。更に実用的で進歩性を備えることから、実用新案の要件に完全に符合する。
【符号の説明】
【００２６】
１        モバイルバッテリー
１０        フレーム体長辺
１１        小掛合桿
１２        マグネット片
１３        押ボタン
１４        充電孔
１５        充電差込桿
２０        フレーム体短辺
２１        小掛合槽
２２        マグネット部品
２３        プチパッド
３０        充電電池
３１        大マグネット片
４０        回路モジュール
５０        携帯電話
【図１】
0003213773.tif 000003
【図２】
0003213773.tif 000004
【図３】
0003213773.tif 000005
【図４】
0003213773.tif 000006
【図５】
0003213773.tif 000007
【図６】
0003213773.tif 000008
【図７】
0003213773.tif 000009